(57)【要約】【課題】取り扱いが容易であり、開封時に容器内の洗眼液がこぼれることのない洗眼液収容体を提供する。【解決手段】洗眼液収容体１は、上部が開口し、上端に、顔の目の周囲に当接する当接部１１が形成された容器１０と、容器１０内に収容された洗眼液Ｌと、シート状の部材から構成され、容器１０の内側に固着されて内部に洗眼液Ｌを封じ込める蓋１５とを備える。容器１０は、その外周面の両側に外側から圧縮の力が作用すると、弾性変形して、力の作用方向における内周面間距離が短くなるとともに、力の作用方向と直交する方向における内周面間距離が長くなるように構成される。蓋１５は、その中心部を通る直線方向に一定間隔で形成された切り欠き溝１７を上面に備え、切り欠き溝１７の形成方向と直交する方向に一定大きさ以上の引張の力が作用すると、切り欠き溝１７の形成方向に破断し、開口するように構成される。【選択図】図１
2006263153.tif 000002
【特許請求の範囲】
【請求項１】
上部が開口し、上端に、顔の目の周囲に当接する当接部が形成された容器と、前記容器内に収容され、目を洗眼するための洗眼液と、シート状の部材から構成され、前記容器の内側に固着されて内部に前記洗眼液を封じ込める蓋とを備えた洗眼液収容体であって、
前記容器は、その外周面の両側に外側から圧縮の力が作用すると、弾性変形して、該力の作用方向における内周面間距離が短くなるとともに、該力の作用方向と直交する方向における内周面間距離が長くなるように構成され、
前記蓋は、その中心部を通る直線方向に沿って一定間隔で又は連続的に形成された切り欠き溝を上面又は下面に備え、該切り欠き溝の形成方向と直交する方向に一定大きさ以上の引張の力が作用すると、該切り欠き溝の形成方向に破断し、開口するように構成されてなることを特徴とする洗眼液収容体。
【請求項２】
前記容器内周面には、前記洗眼液の液面よりも上方位置に、前記蓋の周縁部下面を支持する突起部が形成されてなることを特徴とする請求項１記載の洗眼液収容体。
【請求項３】
前記洗眼液は、水に自然溶解濃度よりも多くの酸素を溶解させた酸素溶存水から構成されてなることを特徴とする請求項１又は２記載の洗眼液収容体。
【発明の詳細な説明】
【技術分野】
【０００１】
本発明は、上部が開口し、上端に、顔の目の周囲に当接する当接部が形成された容器と、前記容器内に収容され、目を洗眼するための洗眼液と、シート状の部材から構成され、前記容器内部に前記洗眼液を封じ込める蓋とを備えた洗眼液収容体に関する。
【背景技術】
【０００２】
眼病予防や、アレルギー患者の花粉症対策、コンタクトレンズ装着時の異物感の緩和などを目的として、従来から洗眼が行われており、このような洗眼を行うための洗眼用具として、例えば、特開２００１−３０９９６０号公報に開示された、図４及び図５に示すような洗眼液収容体１００が知られている。
【０００３】
この洗眼液収容体１００は、上部が開口し、平面視楕円形に形成された容器１０１と、容器１０１内に収容され、目を洗眼するための洗眼液Ｌと、容器１０１と同様、平面視楕円形に形成され、容器１０１内部に洗眼液Ｌを封じ込める蓋１０５とを備えて構成される。尚、図４は、従来例に係る洗眼液収容体の概略構成を示した断面図であり、図５は、図４に示した洗眼液収容体の平面図である。
【０００４】
前記容器１０１は、その上端が外方に折り返されて形成され、使用者の顔の目の周囲に当接する当接部として機能する凸曲面部１０２を備えており、この凸曲面部１０２の下端（先端）には、外方に突出した鍔部１０３が全周に形成されている。一方、前記蓋１０５は、シート状の部材から構成され、容器１０１の凸曲面部１０２を覆うように当該容器１０１の鍔部１０３に剥離可能に固着されており、当該鍔部１０３よりも外側に突出した摘み１０６を備えている。
【０００５】
この洗眼液収容体１００によれば、使用者は、以下に説明するようにして洗眼することができ、まず、蓋１０５の摘み１０６を摘み、当該蓋１０５を容器１０１から剥がして開封した後、下を向き、目が容器１０１開口部の略中央位置にくるようにして、容器１０１の凸曲面部１０２を顔の目の周囲に押し付ける。尚、このとき、洗眼時に、容器１０１内の洗眼液Ｌが凸曲面部１０２と顔との間の隙間からこぼれ落ちることのないように一定の力で押し付ける。
【０００６】
この後、使用者は、容器１０１を顔に押し付けた状態で顔を上げ、容器１０１内の洗眼液Ｌを顔（目）側に移動させて目を洗眼液Ｌ中に浸し、ここで、瞬きをすることなどによって目を洗眼する。
【０００７】
【特許文献１】特開２００１−３０９９６０号公報
【発明の開示】
【発明が解決しようとする課題】
【０００８】
しかしながら、上記従来の洗眼液収容体１００では、蓋１０５と容器１０１との固着状態によっては当該蓋１０５がスムーズに開かない場合があり、蓋１０５を開けるときに、容器１０１内の洗眼液Ｌをこぼし易いという問題があった。また、蓋１０５を容器１０１から剥がして使用するため、使用後には蓋１０５と容器１０１との２つのゴミが発生し、取り扱いが面倒になるという問題もある。
【０００９】
本発明は、以上の実情に鑑みなされたものであって、取り扱いが容易であり、開封時に容器内の洗眼液がこぼれることのない洗眼液収容体の提供をその目的とする。
【課題を解決するための手段】
【００１０】
上記目的を達成するための本発明は、
上部が開口し、上端に、顔の目の周囲に当接する当接部が形成された容器と、前記容器内に収容され、目を洗眼するための洗眼液と、シート状の部材から構成され、前記容器の内側に固着されて内部に前記洗眼液を封じ込める蓋とを備えた洗眼液収容体であって、
前記容器は、その外周面の両側に外側から圧縮の力が作用すると、弾性変形して、該力の作用方向における内周面間距離が短くなるとともに、該力の作用方向と直交する方向における内周面間距離が長くなるように構成され、
前記蓋は、その中心部を通る直線方向に沿って一定間隔で又は連続的に形成された切り欠き溝を上面又は下面に備え、該切り欠き溝の形成方向と直交する方向に一定大きさ以上の引張の力が作用すると、該切り欠き溝の形成方向に破断し、開口するように構成されてなることを特徴とする洗眼液収容体に係る。
【００１１】
この発明によれば、使用者は、まず、目が容器開口部の略中央位置にくるように当該容器の位置を調整しながら、容器当接部を顔の目の周囲に押し付ける。尚、このとき、洗眼時に、容器内の洗眼液が当接部と顔との間の隙間からこぼれ落ちないように一定の力で押し付ける。
【００１２】
この後、容器を顔に押し付けた状態で顔を上げ、切り欠き溝形成方向における容器の両外側であって蓋が固着された部分の外側を押して容器を弾性変形させると、切り欠き溝形成方向における容器内周面間距離が短くなるとともに、切り欠き溝形成方向と直交する方向における容器内周面間距離が長くなるため、蓋には、切り欠き溝形成方向と直交する方向に引張の力が作用する。そして、この引張の力が一定大きさ以上になると、当該蓋は、切り欠き溝形成方向に破断し、開口する。
【００１３】
これにより、容器内の洗眼液が蓋の開口部から流出して顔（目）側に移動し、目が当該洗眼液中に浸るので、ここで、瞬きをすることなどによって目を洗眼することができる。
【００１４】
斯くして、本発明に係る洗眼液収容体によれば、容器を外側から押して開封するようにしており、また、容器を顔に押し付けて顔を上げた状態で開封することができるので、当該容器内の洗眼液をこぼさずに且つ簡単に蓋を開けることができる。また、蓋は、開封後も容器側に固着されたままであるので、蓋と容器とが分離する従来の洗眼液収容体に比べ、取り扱いが容易である。
【００１５】
尚、当該洗眼液収容体を用いて洗眼するに当たっては、次のようにして洗眼することもでき、この場合、使用者は、まず、切り欠き溝形成方向における容器の両外側であって蓋が固着された部分の外側を押して容器を弾性変形させ、蓋に切り欠き溝形成方向と直交する方向の引張力を作用させることにより、当該蓋を切り欠き溝形成方向に破断，開口させる。
【００１６】
この後、下を向いて、目が容器開口部の略中央位置にくるように当該容器の位置を調整しながら、容器当接部を顔の目の周囲に一定の力で押し付けた後、容器を顔に押し付けた状態で顔を上げると、容器内の洗眼液が蓋の開口部から流出して顔側に移動し、目が当該洗眼液中に浸って洗眼される。
【００１７】
このようにして洗眼するようにしても、蓋を開けるときには、上記と同様に、容器を外側から押して、当該容器内の洗眼液をこぼさずに且つ簡単に蓋を開けることができる。
【００１８】
また、前記容器内周面には、前記洗眼液の液面よりも上方位置に、前記蓋の周縁部下面を支持する突起部が形成されていることが好ましく、このようにすれば、容器内に洗眼液を充填した後、蓋を容器に固着するときに、蓋を取り付け易くなる。
【００１９】
また、前記洗眼液は、水に自然溶解濃度よりも多くの酸素を溶解させた酸素溶存水から構成されていることが好ましく、このようにすれば、目の表面から酸素が吸収されてこの部分の新陳代謝が促進されるという効果も得ることができる。
【発明の効果】
【００２０】
以上のように、本発明に係る洗眼液収容体によれば、容器を外側から押すことで、当該容器内の洗眼液をこぼさずに且つ簡単に開封することができ、また、蓋は開封後も容器側に固着されたままであるので、使用後の取り扱いが容易であり、当該洗眼液収容体を使い勝手の良いものとすることができる。
【００２１】
また、容器内周面に、蓋の周縁部下面を支持する突起部を形成すれば、容器内に洗眼液を充填した後、蓋を容易に取り付けることができる。また、洗眼液を酸素溶存量の高い酸素溶存水から構成すれば、洗眼の効果に加え、目の表面から酸素を吸収させてこの部分の新陳代謝を促進させるという効果を得ることもできる。
【発明を実施するための最良の形態】
【００２２】
以下、本発明の具体的な実施形態について、添付図面に基づき説明する。尚、図１は、本発明の一実施形態に係る洗眼液収容体の概略構成を示した断面図であり、図２は、図１に示した洗眼液収容体の平面図である。また、図３は、本実施形態に係る容器などの弾性変形前後の状態を示した説明図である。
【００２３】
図１乃至図３に示すように、本例の洗眼液収容体１は、上部が開口し、平面視楕円形に形成された容器１０と、容器１０内に収容され、目を洗眼するための洗眼液Ｌと、容器１０と同様、平面視楕円形に形成され、容器１０の内側に固着されて内部に洗眼液Ｌを封じ込める蓋１５とを備えており、容器１０及び蓋１５は、例えば、合成樹脂製の透明な部材から構成される。
【００２４】
前記容器１０は、その上端部が外方に折り返された凸曲面１１に形成されるとともに、内径が底部側にかけて次第に小さくなるように形成されており、内周面には、前記洗眼液Ｌの液面よりも上方位置であって容器１０の上下方向中央付近に、前記蓋１５の周縁部下面を支持する突起部１２が等間隔で４つ形成されている。尚、前記凸曲面部１１は、使用者の顔の目の周囲に当接する当接部となっている。
【００２５】
また、容器１０は、図３に示すように、その外周面の両側に外側から圧縮の力が作用すると、弾性変形して、当該力の作用方向における内周面間距離が短くなるとともに、当該力の作用方向と直交する方向における内周面間距離が長くなるように構成される。
【００２６】
前記蓋１５は、シート状に形成され、その周縁部には、例えば、ヒートシールや接着剤などにより容器１０の内周面に固着される取付部１６が形成されている。尚、この蓋１０の取り付けに当たっては、容器１０内に洗眼液Ｌを充填し、当該蓋１５を容器１０の突起部１２上に載置した後、当該蓋１５の取付部１６を容器１０の内周面に固着する。
【００２７】
また、蓋１５は、長径方向に一定間隔で形成された複数の切り欠き溝１７を上面に備えており、この切り欠き溝１７の形成方向と直交する方向に一定大きさ以上の引張の力が作用すると、図３に示すように、当該切り欠き溝１７の形成方向に破断し、開口部１８を形成するように構成されている。
【００２８】
前記洗眼液Ｌは、水に自然溶解濃度よりも多くの酸素を溶解させた酸素溶存水から構成される。
【００２９】
以上のように構成された本例の洗眼液収容体１によれば、使用者は、以下のようにして当該洗眼液収容体１を使用し、洗眼することができる。即ち、使用者は、まず、蓋１５の切り欠き溝１７を見て、当該切り欠き溝１７の形成方向が顔の左右方向となるように、且つ目が容器１０開口部の略中央位置にくるように当該容器１０の位置を調整しながら、容器１０の当接部１１を顔の目の周囲に押し付ける。尚、このとき、洗眼時に、容器１０内の洗眼液Ｌが当接部１１と顔との間の隙間からこぼれ落ちることのないように一定の力で押し付ける。
【００３０】
この後、容器１０を顔に押し付けた状態で顔を上げ、図３に示すように、切り欠き溝１７形成方向における容器１０の両外側であって容器１０の上下方向中央付近を押して当該容器１０を弾性変形させると、切り欠き溝１７形成方向における容器１０内周面間距離が短くなるとともに、切り欠き溝１７形成方向と直交する方向における容器１０内周面間距離が長くなるため、蓋１５には、切り欠き溝１７形成方向と直交する方向に引張の力が作用する。そして、この引張の力が一定大きさ以上になると、当該蓋１５は、切り欠き溝１７形成方向に破断し、開口する。
【００３１】
これにより、容器１０内の洗眼液Ｌが蓋１５の開口部１８から流出して顔（目）側に移動し、目が当該洗眼液Ｌ中に浸るので、ここで、瞬きをすることなどによって目を洗眼することができる。
【００３２】
このように、本例の洗眼液収容体１によれば、容器１０を外側から押して開封するようにしており、また、容器１０を顔に押し付けて顔を上げた状態で開封することができるので、当該容器１０内の洗眼液Ｌをこぼさずに且つ簡単に蓋１５を開けることができる。また、蓋１５は、開封後も容器１０側に固着されたままであるので、蓋１０５と容器１０１とが分離する従来の洗眼液収容体１００に比べ、取り扱いが容易である。
【００３３】
また、目が容器１０開口部の略中央位置からずれていると、容器１０の当接部１１と顔との間に隙間が形成され、洗眼液Ｌがこぼれ落ちる原因となるが、本例の洗眼液収容体１では、切り欠き溝１７を目印にして容器１０に対する目の位置を把握することができるので、目の位置がずれるのを効果的に防止することができる。
【００３４】
また、容器１０内周面に、蓋１５の周縁部下面を支持する突起部１６を形成しているので、容器１０内に洗眼液Ｌを充填した後、蓋１５を容器１０に固着するときに、当該蓋１５を容易に取り付けることができる。
【００３５】
また、洗眼液Ｌを、水に自然溶解濃度よりも多くの酸素を溶解させた酸素溶存水から構成しているので、洗眼の効果に加え、目の表面から酸素を吸収させてこの部分の新陳代謝を促進させるという効果を得ることもできる。
【００３６】
以上、本発明の一実施形態について説明したが、本発明の採り得る具体的な態様は、何らこれに限定されるものではない。
【００３７】
例えば、当該洗眼液収容体１を用いて洗眼するに当たっては、次のようにして洗眼することもできる。この場合、使用者は、まず、切り欠き溝１７形成方向における容器１０の両外側であって容器１０の上下方向中央付近を押して当該容器１０を弾性変形させ、蓋１５に切り欠き溝１７形成方向と直交する方向の引張力を作用させることにより、当該蓋１５を切り欠き溝１７形成方向に破断，開口させる。
【００３８】
この後、下を向き、蓋１５に形成された開口部１８を基に、容器１０の位置を、当該切り欠き溝１７の形成方向が顔の左右方向となるように、且つ目が容器１０開口部の略中央位置にくるように調整しながら、容器１０の当接部１１を顔の目の周囲に一定の力で押し付ける。
【００３９】
そして、容器１０を顔に押し付けた状態で顔を上げると、容器１０内の洗眼液Ｌが蓋１５の開口部１８から流出して顔側に移動し、目が当該洗眼液Ｌ中に浸って洗眼される。このようにして洗眼するようにしても、蓋１５を開けるときには、上記と同様に、容器１０を外側から押して、当該容器１０内の洗眼液Ｌをこぼさずに且つ簡単に蓋１５を開けることができる。
【００４０】
また、上例では、蓋１５の上面に切り欠き溝１７を形成したが、蓋１５の下面に形成しても良い。また、切り欠き溝１７を一定間隔で形成したが、連続的に形成しても良く、更に、長径方向ではなく短径方向に形成しても良い。
【００４１】
また、容器１０の内周面の突起部１２は、等間隔で４ヶ所に形成するのではなく、容器１０の内周面全周に形成するようにしても良い。
【００４２】
また、洗眼液Ｌは、上述のような酸素溶存水に限定されることはなく、各種の洗眼液を用いることができる。
【図面の簡単な説明】
【００４３】
【図１】本発明の一実施形態に係る洗眼液収容体の概略構成を示した断面図である。
【図２】図１に示した洗眼液収容体の平面図である。
【図３】本実施形態に係る容器などの弾性変形前後の状態を示した説明図である。
【図４】従来例に係る洗眼液収容体の概略構成を示した断面図である。
【図５】図４に示した洗眼液収容体の平面図である。
【符号の説明】
【００４４】
１    洗眼液収容体
１０  容器
１１  当接部（凸曲面部）
１２  突起部
１５  蓋
１６  取付部
１７  切り欠き溝
１８  開口部
Ｌ    洗眼液
【図１】
2006263153.tif 000003
【図２】
2006263153.tif 000004
【図３】
2006263153.tif 000005
【図４】
2006263153.tif 000006
【図５】
2006263153.tif 000007